(57)【特許請求の範囲】
【請求項１】
金融機関側情報処理装置が行うオンライン振込依頼受付方法であって、
縦方向又は横方向に０から９までの数字が順番に記載され、それら０から９までの数字に対応する無作為選択文字が複数桁記載された変換表を複数個有する変換表群が設けられ、各々の前記変換表を識別する変換表識別子と前記変換表群を識別する変換表群識別子が記載された振込用紙シートを予め出力する振込用紙シート出力ステップと、
該振込用紙シートに記載された前記変換表群の中から選択された第１変換表を識別する第１変換表識別子の情報を利用者側情報端末から電気通信回線を介して受け取って前記第１変換表を選択する第１変換表選択ステップと、
前記電気通信回線を介して受け取った振込先口座番号の各桁に対応する文字を、前記第１変換表によって該文字と同じ前記無作為選択文字に対応する０から９までの数字に変換し、前記振込先口座番号を導出する振込先口座番号導出ステップと、
前記第１変換表を再使用不可とする第１変換表再使用不可処理ステップと、
を備えてなることを特徴とするオンライン振込依頼受付方法。
【請求項２】
請求項１に記載のオンライン振込依頼受付方法において、
前記電気通信回線を介して受け取った使用変換表数に対応する文字を、前記第１変換表によって該文字と同じ無作為選択文字に対応する０から９までの数字に変換し、前記使用変換表数を導出する使用変換表数導出ステップと、
前記振込用紙シートに記載された前記変換表群の中から選択された第２変換表を識別する第２変換表識別子の情報を前記電気通信回線を介して受け取って前記第２変換表を選択する第２変換表選択ステップと、
前記電気通信回線を介して受け取った振込先口座名義名の各桁に対応する文字を、前記第２変換表によって該文字と同じ前記無作為選択文字に対応する０から９までの数字に変換し、更に、その数字を、縦方向及び横方向ともに０から９までの数字が順番に記載され内側に振込先口座名義名に用いる文字が記載された振込先口座名義名変換表によって、前記振込先口座名義名に用いる文字に変換し、前記振込先口座名義名を導出する振込先口座名義名導出ステップと、
前記第２変換表を再使用不可とする第２変換表再使用不可処理ステップと、
を更に備えてなることを特徴とするオンライン振込依頼受付方法。
【発明の詳細な説明】
【技術分野】
【０００１】
本発明は、簡便で安全性が高いオンライン振込依頼受付方法に関する。
【背景技術】
【０００２】
近年、パソコンなどの利用者側情報端末においてインターネットなどの電気通信回線を介して金融機関に対して行うオンライン振込依頼が、その利便性から急速な普及を遂げている。現在、オンライン振込依頼の手続きにおける不正送金の防止は、個人識別番号（ＩＤ)と秘匿する暗証番号（パスワード）により正当な利用者が振込依頼していることを金融機関が確認した上で、電気通信回線を介して受け取った振込先口座番号を受け付けることにより図られている。しかし、暗証番号の盗難又は不正プログラム（マルウェア）の感染などによって不正送金が起こった事例がある。
【０００３】
このため、トランザクション認証が提案されている。トランザクション認証は、パソコンなどの第１利用者側情報端末からインターネットなどの第１電気通信回線（第１情報伝達媒体）を介して受け取った暗号化された振込先口座番号や金額など(トランザクション)を、第１電気通信回線とは異なる第２電気通信回線（第２情報伝達媒体）を介して、スマートフォンなどの第２利用者側情報端末で承認が行われた上で、受け付けるというものである（例えば、特許文献１）。トランザクション認証は、２つの情報伝達媒体を両方とも攻撃することの困難さに基づいて高い安全性が担保される。
【先行技術文献】
【特許文献】
【０００４】
【特許文献１】特表２０１３−５１８３４８号公報
【発明の概要】
【発明が解決しようとする課題】
【０００５】
しかしながら、トランザクション認証は、第２利用者側情報端末におけるデータについては異なるパスワードによる暗号化など厳重な扱いが実際は必要となるため、利用者にとって複雑であり必ずしも利用し易いものではない。また、第１利用者側情報端末に加えて第２利用者側情報端末を用意する必要がある。また、第２利用者側情報端末のメールアドレス又は電話番号の管理の方法（例えば、第１利用者側情報端末の記憶装置に第２利用者側情報端末のメールアドレス又は電話番号を記憶させて管理する場合など）によっては、それらが第１利用者側情報端末の中で不正プログラム等により入手され、第２利用者側情報端末に偽のデータが通知されたり或いは偽のデータに書き換えられたりすることも有り得る。
【０００６】
本発明は、係る事由に鑑みてなされたものであり、その目的は、２つの情報伝達媒体を用いたものであって、簡便で安全性が高いオンライン振込依頼受付方法を提供することにある。
【課題を解決するための手段】
【０００７】
上記目的を達成するために、請求項１に記載のオンライン振込依頼受付方法は、金融機関側情報処理装置が行うオンライン振込依頼受付方法であって、縦方向又は横方向に０から９までの数字が順番に記載され、それら０から９までの数字に対応する無作為選択文字が複数桁記載された変換表を複数個有する変換表群が設けられ、各々の前記変換表を識別する変換表識別子と前記変換表群を識別する変換表群識別子が記載された振込用紙シートを予め出力する振込用紙シート出力ステップと、該振込用紙シートに記載された前記変換表群の中から選択された第１変換表を識別する第１変換表識別子の情報を利用者側情報端末から電気通信回線を介して受け取って前記第１変換表を選択する第１変換表選択ステップと、前記電気通信回線を介して受け取った振込先口座番号の各桁に対応する文字を、前記第１変換表によって該文字と同じ前記無作為選択文字に対応する０から９までの数字に変換し、前記振込先口座番号を導出する振込先口座番号導出ステップと、前記第１変換表を再使用不可とする第１変換表再使用不可処理ステップと、を備えてなることを特徴とする。
【０００８】
請求項２に記載のオンライン振込依頼受付方法は、請求項１に記載のオンライン振込依頼受付方法において、前記電気通信回線を介して受け取った使用変換表数に対応する文字を、前記第１変換表によって該文字と同じ無作為選択文字に対応する０から９までの数字に変換し、前記使用変換表数を導出する使用変換表数導出ステップと、前記振込用紙シートに記載された前記変換表群の中から選択された第２変換表を識別する第２変換表識別子の情報を前記電気通信回線を介して受け取って前記第２変換表を選択する第２変換表選択ステップと、前記電気通信回線を介して受け取った振込先口座名義名の各桁に対応する文字を、前記第２変換表によって該文字と同じ前記無作為選択文字に対応する０から９までの数字に変換し、更に、その数字を、縦方向及び横方向ともに０から９までの数字が順番に記載され内側に振込先口座名義名に用いる文字が記載された振込先口座名義名変換表によって、前記振込先口座名義名に用いる文字に変換し、前記振込先口座名義名を導出する振込先口座名義名導出ステップと、前記第２変換表を再使用不可とする第２変換表再使用不可処理ステップと、を更に備えてなることを特徴とする。
【発明の効果】
【０００９】
本発明によれば、第１情報伝達媒体である電気通信回線と第２情報伝達媒体である振込用紙シートを用いて、簡便で安全性が高いオンライン振込依頼受付方法を提供することができる。
【図面の簡単な説明】
【００１０】
【図１】本発明の実施形態に係るオンライン振込依頼受付方法が実現されるシステムの構成を示すブロック図である。
【図２】同上のオンライン振込依頼受付方法を示す概略フロー図である。
【図３】同上のオンライン振込依頼受付方法で用いられる振込用紙シートを示す外観図である。
【図４】同上のオンライン振込依頼受付方法で用いられる第１変換表を拡大して示す外観図である。
【図５】同上のオンライン振込依頼受付方法で用いられる第１変換表の使用例を示す外観図である。
【図６】同上のオンライン振込依頼受付方法にステップを追加したものを示す概略フロー図である。
【図７】同上のオンライン振込依頼受付方法にステップを追加したもので用いられる第１変換表の使用例を示す外観図である。
【図８】同上のオンライン振込依頼受付方法にステップを追加したもので用いられる第１変換表の変形例を示す外観図である。
【図９】同上のオンライン振込依頼受付方法にステップを追加したもので用いられる振込先口座名義名変換表を示す外観図である。
【図１０】同上のオンライン振込依頼受付方法にステップを追加したもので用いられる第２変換表の使用例を示す外観図である。
【図１１】同上のオンライン振込依頼受付方法にステップを追加したもので用いられるもう１つの第２変換表の使用例を示す外観図である。
【発明を実施するための形態】
【００１１】
以下、本発明を実施するための形態を説明する。本発明の実施形態に係るオンライン振込依頼受付方法（以下、オンライン振込依頼受付方法Ａと呼ぶ。）は、図１に示すように、第１情報伝達媒体である電気通信回線１と、第１情報伝達媒体とは異なる第２情報伝達媒体である振込用紙シート２と、を用いて、金融機関の情報処理装置（金融機関側情報処理装置）３が、利用者が操作する利用者側情報処理装置４からのオンライン振込依頼の受付を行うものである。オンライン振込依頼受付方法Ａは、図２に示すように、振込用紙シート出力ステップＳ１と、第１変換表選択ステップＳ２と、振込先口座番号導出ステップＳ３と、第１変換表再使用不可処理ステップＳ４と、を備えてなる。このオンライン振込依頼受付方法Ａを、利用者が行う作業とともに以下説明する。
【００１２】
金融機関側情報処理装置３は、それが有する又は管理するプリンタなどから成る振込用紙シート出力手段３１により、振込用紙シート２を予め（利用者側情報端末４から電気通信回線１を介してオンライン振込依頼の手続きが行われる前に）出力する（振込用紙シート出力ステップＳ１）。振込用紙シート出力手段３１により出力された振込用紙シート２は、金融機関から郵送又は手渡しなどにより、利用者に渡される。
【００１３】
振込用紙シート２には、図３に示すように、変換表２１を複数個有する変換表群２１Ｇが設けられている。変換表２１は、図４に示すように、縦方向に０から９までの数字が順番に記載され、それら０から９までの数字に対応する無作為選択文字が複数桁（図４の例では８桁）、記載されている。すなわち、それぞれの桁において１０個の無作為選択文字が０から９までの数字に対応して縦方向に記載されている。無作為選択文字は、無作為に、つまりランダムに、選択された文字である。無作為に文字を選択する方法は、公知であり、詳細は省略する。また、それぞれの桁において１０個の無作為選択文字は、重複しないようにする。また、無作為選択文字は、英数字でよいが、それに限定される必要はない。
【００１４】
また、振込用紙シート２には、各々の変換表２１を識別する変換表識別子２２と変換表群２１Ｇを識別する変換表群識別子２２Ｇが記載されている。変換表識別子２２は、各々の変換表２１の少し上側に記載することができる。例えば、図４に示す変換表２１の少し上側には、変換表識別子２２である「９」が記載されている。
【００１５】
変換表群識別子２２Ｇは、各々の変換表２１の少し上側に記載することができる。例えば、図４に示す変換表２１の少し上側には、変換表群識別子２２Ｇである「２４５８８７３」が記載されている。なお、変換表群識別子２２Ｇは、振込用紙シート２上に１個だけ記載することも可能である。
【００１６】
振込用紙シート２は、１枚に限らず複数枚有ってもよい。また、変換表２１の０から９までの数字は、横方向に順番に記載されていてもよい。
【００１７】
このような振込用紙シート２と電気通信回線１を用いて、利用者はオンライン振込依頼の作業を行う。すなわち、先ず、利用者は、周知の方法により、電気通信回線１が接続されたパソコンなどの利用者側情報端末４を、金融機関側情報処理装置３に対して情報の送受信が可能な状態にし、振込先の銀行名、支店名、口座種類を電気通信回線１を介して金融機関側情報処理装置３に送信する。
【００１８】
次に、利用者は、振込用紙シート２に記載された変換表群２１Ｇの中から任意の第１変換表２１ａを振込先口座番号の変換用に選択する。利用者は、第１変換表２１ａを識別する第１変換表識別子２２ａの情報を電気通信回線１を介して金融機関側情報処理装置３に送信する。
【００１９】
金融機関側情報処理装置３は、第１変換表識別子２２ａの情報を受け取って、変換表群２１Ｇの中から第１変換表２１ａを振込先口座番号の変換用に選択する（第１変換表選択ステップＳ２）。
【００２０】
次に、利用者は、第１変換表２１ａによって、振り込みたい振込先口座番号の各桁の数字をそれに対応する無作為選択文字に変換する。例えば、図４に示す変換表２１を第１変換表２１ａとすると、振込先口座番号が「００２４１９８７」の場合、それに対応する無作為選択文字の文字列は、図５に示すように、「ｇｗｃｖｅ２４ｕ」に変換できる。利用者は、金融機関によって決められたタイミングで所定箇所に無作為選択文字の文字列を入力し、電気通信回線１を介して金融機関側情報処理装置３に送信する。
【００２１】
金融機関側情報処理装置３は、振込先口座番号に対応する文字の文字列を受け取って、第１変換表２１ａによって各桁の文字と同じ無作為選択文字に対応する０から９までの数字に変換し、振込先口座番号を導出する（振込先口座番号導出ステップＳ３）。例えば、金融機関側情報処理装置３が「ｇｗｃｖｅ２４ｕ」を受け取ると、図５に示す第１変換表２１ａによって振込先口座番号「００２４１９８７」を導出する。
【００２２】
利用者は、振込用紙シート２の第１変換表２１ａの使用後には第１変換表２１ａ全体に×を付けるなどして、振込用紙シート２の変換表群２１Ｇにおける第１変換表２１ａを再使用不可とする。
【００２３】
一方、金融機関側情報処理装置３は、第１変換表２１ａを自動的に再使用不可とする（第１変換表再使用不可処理ステップＳ４）。
【００２４】
金融機関は、こうして導出した振込先口座番号を用いて振り込みを行うことができる。
【００２５】
以上説明したオンライン振込依頼受付方法Ａでは、電気通信回線１と振込用紙シート２を用いて利用者がオンライン振込依頼の作業を行い、その受付を金融機関が行うことにより、たとえ利用者側情報端末４が不正プログラムに感染していたとしても、第１変換表２１ａの内容を知らなければ、不正送金の振込先口座番号を導出する文字列を金融機関に送信することができない。振込用紙シート２は、第１情報伝達媒体である電気通信回線１とは異なる第２情報伝達媒体であるので、不正プログラムは振込用紙シート２の第１変換表２１ａの内容を知ることができない。よって、電気通信回線１と振込用紙シート２を用いて、安全性が高いオンライン振込依頼受付方法が実現できる。また、振込用紙シート２は、金融機関から郵送又は手渡しなどで利用者に渡ることができるので、簡便である。なお、利用者が振り込もうとする元々の振込先口座番号については、例えば、郵送又は手渡しなどで振込先から受領した請求書等に記載されたもののように、書き換えの起こっていない正当なものとする。
【００２６】
振込先口座番号の各桁の数字に対応する無作為選択文字の文字列が利用者側情報端末４から金融機関側情報処理装置３に送信された後は、第１変換表２１ａは再使用不可となるので、第１変換表２１ａの内容が不正プログラムに知られても問題は生じない。従って、金融機関側情報処理装置３から利用者側情報端末４に、履歴確認等のために、振込先口座番号の情報が送信されても問題は生じない。
【００２７】
このようなオンライン振込依頼受付方法Ａは、その他のステップを追加することが可能である。次に説明するオンライン振込依頼受付方法（以下、オンライン振込依頼受付方法Ｂと呼ぶ。）は、更に安全性を高めることができる。オンライン振込依頼受付方法Ｂは、図６に示すように、オンライン振込依頼受付方法Ａと同様の振込用紙シート出力ステップＳ１と、第１変換表選択ステップＳ２と、振込先口座番号導出ステップＳ３と、第１変換表再使用不可処理ステップＳ４と、を備え、更に、使用変換表数導出ステップＳ５と、第２変換表選択ステップＳ６と、振込先口座名義名導出ステップＳ７と、第２変換表再使用不可処理ステップＳ８と、を備えてなる。このオンライン振込依頼受付方法Ｂを、利用者が行う作業とともに以下説明する。
【００２８】
金融機関側情報処理装置３は、オンライン振込依頼受付方法Ａの場合と同様にして、振込用紙シート２を予め出力する（振込用紙シート出力ステップＳ１）。振込用紙シート２は、オンライン振込依頼受付方法Ａの場合と同様にして、利用者に渡される。
【００２９】
利用者は、オンライン振込依頼受付方法Ａの場合と同様にして、振込先の銀行名、支店名、口座種類を電気通信回線１を介して金融機関側情報処理装置３に送信した後、第１変換表２１ａを識別する第１変換表識別子２２ａの情報を電気通信回線１を介して金融機関側情報処理装置３に送信する。
【００３０】
金融機関側情報処理装置３は、オンライン振込依頼受付方法Ａの場合と同様にして、変換表群２１Ｇの中から第１変換表２１ａを振込先口座番号及び使用変換表数の変換用に選択する（第１変換表選択ステップＳ２）。
【００３１】
次に、利用者は、オンライン振込依頼受付方法Ａの場合と同様にして、第１変換表２１ａによって、振り込みたい振込先口座番号の各桁の数字をそれに対応する無作為選択文字に変換する。それとともに、利用者は、第１変換表２１ａによって、使用変換表数の数字をそれに対応する無作為選択文字に変換する。
【００３２】
例えば、第１変換表２１ａの下７桁を振込先口座番号の変換用に、最上位の１桁を変換表数の変換用に用いるとすると、振込先口座番号が「０２４１９８７」であり、変換表２１を３個（振込先口座番号の変換用に１個、振込先口座名義名の変換用に２個）用いる場合、図７の例に示すように、振込先口座番号の「０２４１９８７」を無作為選択文字の文字列「ｗｃｖｅ２４ｕ」に、かつ、変換表数の「３」を無作為選択文字「ｅ」変換する。すなわち、「３０２４１９８７」を無作為選択文字の文字列「ｅｗｃｖｅ２４ｕ」に変換する。第１変換表２１ａの最下位の１桁を変換表数の変換用に用いることも可能である。また、使用変換表数は、振込先口座番号の変換用と振込先口座名義名の変換用の合計数でなく、振込先口座名義名の変換用の個数だけを表すように取り決めておいてもよい。
【００３３】
また、第１変換表２１ａにおける変換表数の変換用の桁数を、２桁、或いはそれ以上の桁数にすることも可能である。図８に示す例は、振込先口座番号の変換用に下７桁を用い、変換表数の変換用に上位２桁を用いたものであり、全体の桁数はこれまで図示して来たものよりも多くなっている。図８に示す例では、変換表数の「０３」は、無作為選択文字の文字列「ｉｅ」に変換される。なお、この場合、振込先口座名義名の変換用に選択される第２変換表２１ｂの桁数も多くなる。
【００３４】
そして、利用者は、金融機関によって決められたタイミングで所定箇所に無作為選択文字の文字列を入力し、電気通信回線１を介して金融機関側情報処理装置３に送信する。
【００３５】
金融機関側情報処理装置３は、オンライン振込依頼受付方法Ａの場合と同様にして、振込先口座番号に対応する文字の文字列を受け取って、第１変換表２１ａによって各桁の文字と同じ無作為選択文字に対応する０から９までの数字に変換し、振込先口座番号を導出する（振込先口座番号導出ステップＳ３）。
【００３６】
また、金融機関側情報処理装置３は、使用変換表数に対応する文字を受け取って、第１変換表２１ａによってその文字と同じ無作為選択文字に対応する０から９までの数字に変換し、使用変換表数を導出する（使用変換表数導出ステップＳ５）。
【００３７】
次に、利用者は、振込先口座番号と振込先口座名義名の両方を用いる場合、振込用紙シート２に記載された変換表群２１Ｇの中から第１変換表２１ａとは別の任意の第２変換表２１ｂを振込先口座名義名の変換用に選択する。利用者は、第２変換表２１ｂを識別する第２変換表識別子２２ｂの情報を電気通信回線１を介して金融機関側情報処理装置３に送信する。なお、第２変換表２１ｂは、振込先口座名義名の桁数の多さから、通常、複数個になるので、第２変換表識別子２２ｂも、通常、複数個になる。
【００３８】
金融機関側情報処理装置３は、第２変換表識別子２２ｂの情報を受け取って、変換表群２１Ｇの中から第２変換表２１ｂを振込先口座名義名の変換用に選択する（第２変換表選択ステップＳ６）。
【００３９】
次に、利用者は、振込先口座名義名変換表２３によって、振り込みたい振込先口座名義名の各桁の文字を０から９までの数字に変換する。振込先口座名義名変換表２３は、図９に示すように、縦方向及び横方向ともに０から９までの数字が順番に記載され内側に振込先口座名義名に用いる文字が記載されたものである。振込先口座名義名変換表２３により、振込先口座名義名に用いる文字１個について、２個の数字に変換される。例えば、振込先口座名義名の有効桁数を８桁とすると、「ヒカ゛シニホンタ」は、「６２  ２１  ０４  ３２  ５２  ６５  ０３  ４１」に変換できる。振込先口座名義名変換表２３は、全ての利用者が利用できるものでよいので、金融機関から利用者に渡されるときの情報伝達媒体はどのようなものでも構わない。
【００４０】
利用者は、第２変換表２１ｂによって、この変換後の各々の数字をそれに対応する無作為選択文字に変換する。例えば、図１０及び図１１に示す２個の変換表２１を第２変換表２１ｂとすると、「６２２１０４３２５２６５０３４１」に対応する無作為選択文字の文字列は、「ｆｆ９ｈｘｋａ３ｐｈ７８５ｐｖｒ」に変換できる。この作業の時期は、限定される必要はないが、第１変換表２１ａによっての振込先口座番号の変換と同時期にすればよい。利用者は、金融機関によって決められたタイミングで所定箇所に無作為選択文字の文字列を入力し、電気通信回線１を介して金融機関側情報処理装置３に送信する。
【００４１】
金融機関側情報処理装置３は、電気通信回線１を介して受け取った振込先口座名義名の各桁に対応する文字を、第２変換表２１ｂによってその文字と同じ無作為選択文字に対応する０から９までの数字に変換し、更に、その数字を、振込先口座名義名変換表２３（それと同等な変換が行えるものを含む。）によって、振込先口座名義名に用いる文字に変換し、前記振込先口座名義名を導出する（振込先口座名義名導出ステップＳ７）。例えば、金融機関側情報処理装置３が「ｆｆ９ｈｘｋａ３ｐｈ７８５ｐｖｒ」を受け取ると、図１０及び図１１に示す第２変換表２１ｂと図９に示す振込先口座名義名変換表２３によって振込先口座名義名「ヒカ゛シニホンタ」を導出する。
【００４２】
利用者は、振込用紙シート２の第１変換表２１ａの使用後には第１変換表２１ａ全体に×を付けるなどして、振込用紙シート２の変換表群２１Ｇにおける第１変換表２１ａを再使用不可とし、また、振込用紙シート２の第２変換表２１ｂの使用後には第２変換表２１ｂ全体に×を付けるなどして、振込用紙シート２の変換表群２１Ｇにおける第２変換表２１ｂを再使用不可とする。
【００４３】
一方、金融機関側情報処理装置３は、第１変換表２１ａの使用後には第１変換表２１ａを、第２変換表２１ｂの使用後には第２変換表２１ｂを、それぞれ自動的に再使用不可とする（第１変換表再使用不可処理ステップＳ４と第２変換表再使用不可処理ステップＳ８）。
【００４４】
金融機関は、こうして導出した振込先口座番号と振込先口座名義名を照合して振り込みを行うことができる。もし、振込先口座番号と振込先口座名義名に齟齬があれば、金融機関側情報処理装置３は、失敗したことを利用者側情報端末４に送信する。利用者は、オンライン振込依頼の作業（振込先の銀行名の送信等）を再度行うことになる。
【００４５】
このようにして、オンライン振込依頼受付方法Ａの場合と同様に、簡便で安全性が高いオンライン振込依頼受付方法Ｂが実現できる。
【００４６】
更には、オンライン振込依頼受付方法Ｂは、振込先口座番号と振込先口座名義名の両方を用いると、利用者が振り込もうとする元々の振込先口座番号が電気通信回線１を介して（電子メール等で）受領した場合で、万一、不正プログラムによってその元々の振込先口座番号が不正振込先の口座番号に書き換えられた場合であっても、振込先口座番号と振込先口座名義名の照合により不正振込を防止することができる。
【００４７】
また、オンライン振込依頼受付方法Ｂは、変換表数の情報を用いることにより、振込先口座番号と振込先口座名義名のうち、オンライン振込依頼に振込先口座番号だけを用いるか、それとも振込先口座番号と振込先口座名義名の両方を用いるかを利用者が指定できる。例えば、変換表数を「１」とすると、振込先口座番号だけを用いるようにでき、変換表数を「２」又はそれ以上の数字とすると、振込先口座番号と振込先口座名義名の両方を用いるようにできる。利用者が振り込もうとする元々の振込先口座番号が書き換えの起こっていない正当なものであることが確実な場合などでは、振込先口座番号だけを用いればよい。
【００４８】
以上、本発明の実施形態に係るオンライン振込依頼受付方法について説明したが、本発明は、実施形態に記載したものに限られることなく、特許請求の範囲に記載した事項の範囲内でのさまざまな設計変更が可能である。例えば、オンライン振込依頼受付方法Ｂにおいて、振込先口座番号導出ステップＳ３が使用変換表数導出ステップＳ５よりも後に有っても、矛盾が生じないので、そのように変更することが可能である。このように、各ステップの順番は、矛盾が生じない限りは、自由に変更可能である。
【符号の説明】
【００４９】
１    電気通信回線（第１情報伝達媒体）
２    振込用紙シート（第２情報伝達媒体）
２１  変換表
２１ａ  第１変換表
２１ｂ  第２変換表
２１Ｇ  変換表群
２２  変換表識別子
２２ａ  第１変換表識別子
２２ｂ  第２変換表識別子
２２Ｇ  変換表群識別子
２３  振込先口座名義名変換表
３    金融機関側情報処理装置
３１  振込用紙シート出力手段
４    利用者側情報端末
【要約】
【課題】２つの情報伝達媒体を用いたものであって、簡便で安全性が高いオンライン振込依頼受付方法を提供する。
【解決手段】このオンライン振込依頼受付方法は、縦方向又は横方向に０から９までの数字が順番に記載され、それら０から９までの数字に対応する無作為選択文字が複数桁記載された変換表２１を複数個有する変換表群２１Ｇが設けられた振込用紙シート２を予め出力し、電気通信回線１を介して受け取った振込先口座番号の各桁に対応する文字を、第１変換表２１ａによって該文字と同じ無作為選択文字に対応する０から９までの数字に変換して振込先口座番号を導出し、第１変換表２１ａを再使用不可とする。
【選択図】図１【図１】
0005872095.tif 000002
【図２】
0005872095.tif 000003
【図３】
0005872095.tif 000004
【図４】
0005872095.tif 000005
【図５】
0005872095.tif 000006
【図６】
0005872095.tif 000007
【図７】
0005872095.tif 000008
【図８】
0005872095.tif 000009
【図９】
0005872095.tif 000010
【図１０】
0005872095.tif 000011
【図１１】
0005872095.tif 000012